(57)【特許請求の範囲】
【請求項１】
１次巻線と、この１次巻線を巻回したコイルボビンと、このコイルボビンに植設されると共に前記１次巻線と接続した端子と、２次巻線と、この２次巻線を巻回したコイルボビンと、このコイルボビンに植設されると共に前記２次巻線と接続した端子とを有し、前記１次巻線を巻回した前記コイルボビンを熱硬化性樹脂で形成し、前記２次巻線を巻回した前記コイルボビンを熱可塑性樹脂で形成し、１次巻線の線径が２次巻線の線径よりも太いトランス。
【請求項２】
１次巻線と、この１次巻線を巻回したコイルボビンと、このコイルボビンに植設されると共に前記１次巻線と接続した端子と、二次巻線と、この二次巻線を巻回したコイルボビンと、このコイルボビンに植設されると共に前記二次巻線と接続した端子とを有し、１次巻線には巻き始め部および巻き終わり部および中間タップ部を形成し、前記１次巻線の巻き始め部を接続した巻き始め端子と、巻き終わり部を接続した巻き終わり端子との間に、前記１次巻線の前記中間タップ部を接続したタップ端子が位置するようにし、かつ、前記巻線の前記巻き始め部および前記巻き終わり部は巻軸に対して外巻きになるようにしたトランス。
【発明の詳細な説明】
【０００１】
【発明の属する技術分野】
本発明は、各種電子機器等に用いるトランスに関するものである。
【０００２】
【従来の技術】
以下、本発明の従来のトランスについて図面を参照しながら説明する。
【０００３】
図７は従来のトランスの斜視図である。
【０００４】
図７において、従来のトランスは、巻軸部の内部に貫通孔を有した２つの偏平状のコイルボビン２１と、このコイルボビン２１の巻軸部の外周に巻回した巻線２２と、コイルボビン２１の貫通孔に挿入するとともに、２つの分割磁芯を組み合せて形成した閉磁路磁芯２３と、２つのコイルボビン２１の端部に植設するとともに、巻線２２と接続した端子２４とを備えている。
【０００５】
また、分割磁芯は中脚と２つの外脚とを連接脚で連接したＥ字形状にするとともに、２つの分割磁芯の中脚および外脚を互いに対向させて閉磁路磁芯２３を形成しており、一方のコイルボビン２１の貫通孔に２つの分割磁芯の一方の外脚を挿入するとともに、他方のコイルボビン２１の貫通孔に２つの分割磁芯の他方の外脚を挿入している。
【０００６】
さらに、一方のコイルボビン２１の材質と他方のコイルボビン２１の材質を一般的に耐電圧特性が良いとされる熱可塑性樹脂にしていた。
【０００７】
【発明が解決しようとする課題】
上記従来の構成では、一方のコイルボビン２１と他方のコイルボビン２１の材質を一般的に耐電圧特性の良いとされる熱可塑性樹脂としていたので、端子２４と巻線２２とを接続する際に、半田ディップ等を用いて半田接続すると、耐熱性が低いことに起因して、コイルボビン２１が溶融したり、溶融しないまでも、コイルボビン２１が柔らかくなっているので、端子２４に係る巻線２２のテンションによって、端子２４が動いたりするという問題点を有していた。
【０００８】
本発明は上記問題点を解決するもので、半田ディップ等を用いて半田接続しても、コイルボビンが溶融したり、端子が動いたりすることを防止したトランスを提供することを目的としている。
【０００９】
【課題を解決するための手段】
上記目的を達成するために本発明は、以下の構成を有する。
【００１０】
本発明の請求項１記載の発明は、特に、前記１次巻線を巻回した前記コイルボビンを熱硬化性樹脂で形成し、前記二次巻線を巻回した前記コイルボビンを熱可塑性樹脂で形成し、１次巻線が二次巻線よりも太い構成である。
【００１１】
上記構成により、１次巻線用の巻線（２次巻線用の巻線よりも太い線径）を巻回する一方のコイルボビンの材質を熱硬化性樹脂にしているので、端子と巻線とを接続する際に、半田ディップ等を用いて半田接続しても、コイルボビンが溶融しにくく、端子に係る巻線のテンションにより、端子が動くことも抑制でき、コイルボビンおよび端子の信頼性を向上することができる。
【００１２】
特に、１次巻線用の巻線には、２次巻線用の巻線よりも太い線径を用いるので、端子に係る巻線のテンションも大きいが、上記構成により端子の動きを的確に抑制できる。
【００１３】
さらに、他方のコイルボビンの材質を熱可塑性樹脂にしているので、高電圧を出力しても、耐電圧特性が良く絶縁破壊を抑制でき、特に、１次巻線用の巻線よりも２次巻線用の巻線の線径は細いので、成型の際に発生しやすいコイルボビンのバリ等によって、２次巻線用の巻線は切断されやすいが、熱可塑性樹脂をコイルボビンに用いることにより、コイルボビンのバリ等の発生を抑制し、２次巻線の切断の発生を防止して、信頼性を向上することができる。
【００１４】
本発明の請求項２記載の発明は、１次巻線には巻き始め部および巻き終わり部および中間タップ部を形成し、前記１次巻線の巻き始め部を接続した巻き始め端子と、巻き終わり部を接続した巻き終わり端子との間に、前記１次巻線の前記中間タップ部を接続したタップ端子が位置するようにし、かつ、前記１次巻線の前記巻き始め部および前記巻き終わり部は巻軸に対して外巻きになるようにした構成である。
【００１５】
上記構成により、巻線の巻き始め部、巻き終わり部、中間タップ部とのクロス部分を無くすることができ、端子と巻線との半田ディップ等における半田接続の際に、クロス部分を半田接続して生じる短絡を防止でき信頼性を向上することができる。
【００１６】
【発明の実施の形態】
（実施の形態１）
以下、本発明の実施の形態を用いて、全請求項に記載の発明について図面を参照しながら説明する。
【００１７】
図１は本発明の一実施の形態におけるトランスの分解斜視図、図２は同トランスの斜視図、図３は同トランスを用いた自励発振式回路を示す回路図、図４は同トランスの下面斜視図、図５は同トランスの端子部分の平面断面図、図６は同トランスの端子部分の下面図である。
【００１８】
図１〜図６において、本発明の一実施の形態におけるトランスは、図３に示すような自励発振式回路において、液晶バックライト用のインバータトランス１として用い、バックライト２を点灯駆動させるために必要な電圧を発生している。液晶のバックライト２用のインバータトランス１として機能させるために、１次側の入力電圧を５Ｖ程度、２次側の出力電圧を１５００Ｖ程度にしてある。
【００１９】
本発明の一実施の形態におけるトランスは、巻軸３の内部に貫通孔４を有した２つの偏平状のコイルボビン５と、このコイルボビン５の巻軸３の外周に巻回した巻線６（１次巻線、２次巻線、ベース巻線）と、コイルボビン５の貫通孔４に挿入するとともに、２つの分割磁芯７を組み合せて形成した閉磁路磁芯８と、２つのコイルボビン５の端部に植設するとともに、巻線６と接続した端子９とを備えている。
【００２０】
また、一方の分割磁芯７は中脚１０と２つの外脚１１とを連接脚１２で連接したＥ字形状にするとともに、他方の分割磁芯７は連接脚１２のみを有したＩ字形状にし、一方の分割磁芯７の中脚１０および外脚１１を他方の分割磁芯７に対向させて閉磁路磁芯８を形成しており、一方のコイルボビン５の貫通孔４に一方の分割磁芯７の一方の外脚１１を挿入するとともに、他方のコイルボビン５の貫通孔４に一方の分割磁芯７の他方の外脚１１を挿入している。
【００２１】
このとき、Ｉ字形状の分割磁芯７の外形寸法はＥ字形状の分割磁芯７の外形寸法よりも大きくなるようにして、組み合せの際に位置ずれ等が生じても、磁束効率を低減しないようにしている。
【００２２】
さらに、一方のコイルボビン５には、他方のコイルボビン５よりも太い線径の巻線６を巻回して、一方のコイルボビン５に巻回する巻線６を１次巻線用にするとともに、他方のコイルボビン５に巻回する巻線６を２次巻線用にし、一方のコイルボビン５の材質を熱硬化性樹脂にするとともに、他方のコイルボビン５の材質を熱可塑性樹脂にしている。
【００２３】
このとき、他方の熱可塑性樹脂のコイルボビン５は、端部に植設した端子９の植設部の近傍を取り除いており、バリ等が生じても端子９に接続した巻線６が断線しないようにしている。
【００２４】
そして、図４〜図６に示すように、１次巻線用の巻線６には、巻き始め部１３および巻き終わり部１４および中間タップ部１５を形成し、巻線６の巻き始め部１３を接続した巻き始め端子１６と、巻き終わり部１４を接続した巻き終わり端子１７との間に、巻線６の中間タップ部１５を接続したタップ端子１８が位置するようにし、かつ、巻線６の巻き始め部１３および巻き終わり部１４は巻軸３に対して外巻き（巻き始め部１３と巻き終わり部１４が交差しない）になるようにしている。
【００２５】
さらに、ベース用の巻線６には、２つの最外側の端子９の内、最外側の巻き始め端子１６に巻線６の巻き始め部１３を、最外側の巻き終わり端子１７に巻き終わり部１４を接続するとともに、コイルボビン５の側面から下面を引き廻して接続し、かつ、巻線６の巻き始め部１３および巻き終わり部１４は巻軸３に対して内巻き（巻き始め部１３と巻き終わり部１４が交差する）になるようにしている。
【００２６】
上記構成のトランスについて、以下その動作を説明する。
【００２７】
上記構成により、１次巻線用の巻線６（２次巻線用の巻線よりも太い線径）を巻回する一方のコイルボビン５の材質を熱硬化性樹脂にしているので、端子９と巻線６とを接続する際に、半田ディップ等を用いて半田接続しても、コイルボビン５が溶融しにくく、端子９に係る巻線のテンションにより、端子９が動くことも抑制でき、コイルボビン５および端子９の信頼性を向上することができる。
【００２８】
特に、１次巻線用の巻線６には、２次巻線用の巻線６よりも太い線径を用いるので、端子９に係る巻線６のテンションも大きいが、上記構成により端子９の動きを的確に抑制できる。
【００２９】
さらに、他方のコイルボビン５の材質を熱可塑性樹脂にしているので、高電圧を出力しても、耐電圧特性が良く絶縁破壊を抑制でき、特に、１次巻線用の巻線６よりも２次巻線用の巻線６の線径は細いので、成型の際に発生しやすいコイルボビン５のバリ等によって、２次巻線用の巻線６は切断されやすいが、熱可塑性樹脂をコイルボビン５に用いることにより、コイルボビン５のバリ等の発生を抑制し、２次巻線の切断の発生を防止して、信頼性を向上することができる。
【００３０】
また、一次巻線用の巻線６は、巻き始め端子１６と巻き終わり端子１７との間に、タップ端子１８が位置するようにし、かつ、巻線６の巻き始め部１３および巻き終わり部１４は巻軸３に対して外巻きになるようにしているので、巻線６の巻き始め部１３、巻き終わり部１４、中間タップ部１５とのクロス部分（交差部分）が無く、端子９と巻線６との半田ディップ等における半田接続の際に、クロス部分を半田接続して生じる短絡を防止でき信頼性を向上することができる。
【００３１】
さらに、ベース用の巻線６も、２つの最外側の端子９の内、巻き始め端子１６に巻線６の巻き始め部１３を巻き終わり端子１７に巻線６の巻き終わり部１４を接続するとともに、コイルボビン５の側面から下面を引き廻して接続し、かつ、巻線６の巻き始め部１３および巻き終わり部１４は巻軸３に対して内巻きになるようにしている。
【００３２】
このように本発明の一実施の形態によれば、端子９と巻線６とを接続する際に、半田ディップ等を用いて半田接続しても、コイルボビン５が溶融しにくく、端子９に係る巻線６のテンションにより、端子９が動くことも抑制でき、コイルボビン５および端子９の信頼性を向上することができる。
【００３３】
特に、２次巻線の切断の発生を防止したり、クロス部分を半田接続して生じる短絡を防止したりして、信頼性を向上することもできる。
【００３４】
【発明の効果】
以上のように本発明によれば、端子と巻線とを接続する際に、半田ディップ等を用いて半田接続しても、コイルボビンが溶融しにくく、端子に係る巻線のテンションにより、端子が動くことも抑制でき、コイルボビンおよび端子の信頼性を向上したトランスを提供することができる。
【図面の簡単な説明】
【図１】  本発明の一実施の形態におけるトランスの分解斜視図
【図２】  同トランスの斜視図
【図３】  同トランスを用いた自励発振式回路を示す回路図
【図４】  同トランスの下面斜視図
【図５】  同トランスの端子部分の平面断面図
【図６】  同トランスの端子部分の下面図
【図７】  従来のトランスの斜視図
【符号の説明】
３  巻軸
４  貫通孔
５  コイルボビン
６  巻線
７  分割磁芯
８  閉磁路磁芯
９  端子
１０  中脚
１１  外脚
１２  連接脚
１３  巻き始め部
１４  巻き終わり部
１５  中間タップ部
１６  巻き始め端子
１７  巻き終わり端子
１８  タップ端子
【図１】
0003714176.tif 000002
【図２】
0003714176.tif 000003
【図３】
0003714176.tif 000004
【図４】
0003714176.tif 000005
【図５】
0003714176.tif 000006
【図６】
0003714176.tif 000007
【図７】
0003714176.tif 000008